【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
ユーザ機器(UE)によって実行されるミリ波スペクトルにおけるワイヤレス通信の方法であって、
制限された非連続帯域内キャリアアグリゲーションのサポートを示す情報を生成するステップであって、前記制限された非連続帯域内キャリアアグリゲーションの前記サポートが、特定の周波数帯域の周波数範囲L未満の前記UEの受信チェーンの制限された周波数範囲Wのサポートである、ステップと、
1つまたは複数のネットワークエンティティへの制限された非連続帯域内キャリアアグリゲーションの前記サポートを示す前記情報を通信するステップと
を含む、方法。
【請求項２】
制限された非連続帯域内キャリアアグリゲーションの前記サポートを示す前記情報が、前記制限された周波数範囲Wの大きさの指示を含む、請求項1に記載の方法。
【請求項３】
前記制限された周波数範囲Wの前記指示が、前記特定の周波数帯域におけるサポートされる最低コンポーネントキャリアの低周波数とサポートされる最高コンポーネントキャリアの高周波数との間の周波数分離の指示である、請求項2に記載の方法。
【請求項４】
制限された帯域内キャリアアグリゲーションの前記サポートを示す前記情報が、あらかじめ定義された周波数範囲がサポートされることの指示を含む、請求項1に記載の方法。
【請求項５】
制限された非連続帯域内キャリアアグリゲーションの前記サポートを示す前記情報が、前記UEのトランシーバ回路に含まれる受信処理チェーンの数の指示を含む、請求項1に記載の方法。
【請求項６】
前記UEの前記トランシーバ回路に含まれる受信処理チェーンの前記数の前記指示が、前記数が全帯域内キャリアアグリゲーションサポートのサポートを提供する数未満であることの指示であり、全帯域内キャリアアグリゲーションのサポートが、前記特定の周波数帯域の前記周波数範囲Lのサポートである、請求項5に記載の方法。
【請求項７】
制限された非連続帯域内キャリアアグリゲーションの前記サポートを示す前記情報を通信するステップが、無線リソース制御(RRC)メッセージ内の前記情報を第1の基地局に関連付けられた第1のセルに送信するステップを含む、請求項1に記載の方法。
【請求項８】
その後、第1のコンポーネントキャリアを使用して前記第1のセルと通信し、かつ第2の異なるコンポーネントキャリアを使用して第2のセルと通信するステップをさらに含み、前記第1のコンポーネントキャリアおよび前記第2の異なるコンポーネントキャリアが、前記制限された周波数範囲W以下の周波数範囲に及ぶ、請求項7に記載の方法。
【請求項９】
制限された非連続帯域内キャリアアグリゲーションの前記サポートを示す前記情報を通信するステップが、制御メッセージで前記情報を第1の基地局に関連付けられた第1のセルに送信するステップを含み、前記第1の基地局が、少なくとも、周波数ギャップGによって分離された第1のスペクトル割当ておよび第2のスペクトル割当てを有するサービスプロバイダに関連付けられ、前記周波数ギャップGがWよりも大きく、前記方法が、
前記第1のセルから1つまたは複数の割り当てられたコンポーネントキャリアの指示を受信するステップであって、前記1つまたは複数の割り当てられたコンポーネントキャリアがすべて、前記第1のスペクトル割当てに含まれる、ステップと、
前記第1のスペクトル割当てに含まれる前記1つまたは複数の割り当てられたコンポーネントキャリアを使用して少なくとも前記第1のセルと通信するステップと、
ハンドオフ手順後に異なる基地局に関連付けられた異なるセルと通信するステップと、
前記異なるセルから1つまたは複数の割り当てられたコンポーネントキャリアの指示を受信するステップであって、前記1つまたは複数の割り当てられたコンポーネントキャリアがすべて、前記第2のスペクトル割当てに含まれる、ステップと
をさらに含む、請求項1に記載の方法。
【請求項１０】
制限された非連続帯域内キャリアアグリゲーションの前記サポートを示す前記情報を通信するステップが、制御メッセージで前記情報を第1の基地局に関連付けられた第1のセルに送信するステップを含み、前記第1の基地局が、少なくとも、周波数ギャップGによって分離された第1のスペクトル割当ておよび第2のスペクトル割当てを有するサービスプロバイダに関連付けられ、
最小コンポーネントキャリア周波数幅がSであり、WがG+2S以上であるが、前記第1のスペクトル割当ておよび前記第2のスペクトル割当てがまたがる周波数範囲R未満であり、
少なくとも前記第1のセルおよび第2のセルに関連付けられた1つまたは複数の割り当てられたコンポーネントキャリアの指示を受信するステップをさらに含み、前記1つまたは複数の割り当てられたコンポーネントキャリアが、前記第1のスペクトル割当てからの少なくとも1つの割り当てられたコンポーネントキャリアと、前記第2のスペクトル割当てからの少なくとも1つの割り当てられたコンポーネントキャリアとを含む、
請求項1に記載の方法。
【請求項１１】
前記第1のスペクトル割当てもしくは前記第2のスペクトル割当てまたは両方が、前記最小コンポーネントキャリア周波数Sよりも大きい最小コンポーネントキャリアサイズに関連付けられ、Wが、前記第1のスペクトル割当てに関連付けられた前記最小コンポーネントキャリアサイズ、前記第2のスペクトル割当てに関連付けられた前記最小コンポーネントキャリアサイズ、および前記第1のスペクトル割当てと前記第2のスペクトル割当てとの間の前記ギャップGの合計よりも大きい、請求項10に記載の方法。
【請求項１２】
ミリ波スペクトルにおけるワイヤレス通信のために動作可能なユーザ機器(UE)であって、
能力情報を記憶するための手段であって、前記能力情報が、制限された非連続帯域内キャリアアグリゲーションのサポートを示す能力情報であって、前記制限された非連続帯域内キャリアアグリゲーションの前記サポートが、特定の周波数帯域の周波数範囲L未満の前記UEの受信チェーンの制限された周波数範囲Wのサポートである、能力情報を含む、手段と、
前記能力情報を含む信号を生成するための手段と、
前記能力情報を1つまたは複数のネットワークエンティティに通信するための手段と
を含む、ユーザ機器。
【請求項１３】
基地局でのミリ波スペクトルにおけるワイヤレス通信の方法であって、
第1のユーザ機器(UE)から能力情報を受信するステップであって、前記能力情報が、
制限された非連続帯域内キャリアアグリゲーションのサポートを示す能力情報であって、前記制限された非連続帯域内キャリアアグリゲーションの前記サポートが、特定の周波数帯域の周波数範囲L未満の前記UEの受信チェーンの制限された周波数範囲Wのサポートである、能力情報を含む、ステップと、
前記能力情報の受信に応答して、前記UEとの通信のためにコンポーネントキャリアに各々関連付けられた1つまたは複数のセルを決定するステップと
を含む、方法。
【請求項１４】
ミリ波スペクトルにおけるワイヤレス通信のために動作可能な基地局であって、
ユーザ機器(UE)から能力情報を受信するための手段であって、前記能力情報が、
制限された非連続帯域内キャリアアグリゲーションのサポートを示す能力情報であって、前記制限された非連続帯域内キャリアアグリゲーションの前記サポートが、特定の周波数帯域の周波数範囲L未満の前記UEの受信チェーンの制限された周波数範囲Wのサポートである、能力情報を含む、手段と、
前記能力情報の受信に応答して、前記UEとの通信のためにコンポーネントキャリアに各々関連付けられた1つまたは複数のセルを決定するための手段と
を含む、基地局。
【請求項１５】
少なくとも1つのプロセッサにおいて実行されたとき、前記少なくとも1つのプロセッサに、請求項1〜11および13のいずれか一項に記載の方法を実行させる命令を備える、コンピュータプログラム。